(57)【要約】【課題】            プレイヤにとって便利なグローブ保持用具を提供する。【解決手段】        一実施形態に係るグローブ保持用具は、開放端を開閉自在に変形可能な環状部を有し、該開放端を介して該環状部の内部に衣類を受け入れることにより、該衣類に取り付けられる接続部材と、該接続部材に取り付けられ少なくとも１つの面を有する支持部材と、該支持部材の前記少なくとも１つの面の上に固定され、前記グローブに取り付けられた第１の係合部材に係合する第２の係合部材と、を具備する。【選択図】          図１
2014019977.tif 000002
【特許請求の範囲】
【請求項１】
グローブを保持する保持用具であって、
開放端を開閉自在に変形可能な環状部を有し、該開放端を介して該環状部の内部に衣類を受け入れることにより、該衣類に取り付けられる接続部材と、
該接続部材に取り付けられ少なくとも１つ面を有する支持部材と、
該支持部材の前記少なくとも１つの面の上に固定され、前記グローブに取り付けられた第１の係合部材に係合する第２の係合部材と、
を具備する保持用具。
【請求項２】
前記第１の係合部材及び前記第２の係合部材が面ファスナー又はスナップボタンである、請求項１に記載の保持用具。
【請求項３】
前記第２の係合部材が雌型の面ファスナーであり、前記グローブに取り付けられた前記第１の係合部材が雄型の面ファスナーである、請求項２に記載の保持用具。
【請求項４】
前記支持部材が板状部材により形成されたものであり、該板状部材の表面及び裏面のうちの少なくとも一方の面に前記第２の係合部材が固定されている、請求項１から請求項３のいずれかに記載の保持用具。
【請求項５】
前記支持部材の前記少なくとも１つの面に磁力により取り付けられたマーカー部材、をさらに具備する、請求項１から請求項４のいずれかに記載の保持用具。
【請求項６】
前記支持部材に隣接するように前記接続部材に取り付けられ、少なくとも１つの面を有する別の支持部材、をさらに具備する請求項１から請求項５のいずれかに記載の保持用具。
【請求項７】
前記別の支持部材の前記少なくとも１つの面に磁力により取り付けられたマーカー部材、をさらに具備する、請求項６に記載の保持用具。
【発明の詳細な説明】
【技術分野】
【０００１】
本発明は、グローブを保持するために用いられるグローブ保持用具に関する。
【背景技術】
【０００２】
特開２０１０−１３６７３２号公報（特許文献１）に記載されているように、従来から、ゴルフ、テニス、バドミントン、ソフトボール及び野球等を含む様々なスポーツにおいて、ゴルフクラブ、ラケット及びバット等の道具に対する操作性を高めたり、手を保護するために、グローブが広く用いられている。
【先行技術文献】
【特許文献】
【０００３】
【特許文献１】特開２０１０−１３６７３２号公報
【発明の概要】
【発明が解決しようとする課題】
【０００４】
上記のようなスポーツをしている間であってグローブを使用しないとき（例えば、ゴルフであればグリーンにおいてパッティングをするとき、ソフトボール及び野球であれば出塁してランナーになったとき）には、プレイヤは、グローブをスポーツウェアやユニフォーム等に設けられたポケットに収納することが多い。しかしながら、プレイヤは、プレイをしている間に、ポケットに収納されたグローブを気付かないうちに落として紛失してしまうことがある。また、プレイヤが、身体に密着したウェアを着用しているときに、このようなウェアに設けられたポケットにグローブを収納すると、そのポケットの部分が、部分的に隆起してプレイヤの見栄えを損なうこともある。さらに、このようなタイトなウェアに設けられたポケットにグローブを収納すると、ウェアが、身体に必要以上に密着することによって、プレイヤのスムーズな動きを阻害する可能性もある。
【０００５】
そこで、本発明の様々な実施形態により、プレイヤにとって便利なグローブ保持用具を提供する。
【課題を解決するための手段】
【０００６】
一実施形態に係るグローブを保持する保持用具は、開放端を開閉自在に変形可能な環状部を有し、該開放端を介して該環状部の内部に衣類を受け入れることにより、該衣類に取り付けられる接続部材と、該接続部材に取り付けられ少なくとも１つ面を有する支持部材と、該支持部材の前記少なくとも１つの面の上に固定され、前記グローブに取り付けられた第１の係合部材に係合する第２の係合部材と、を具備する。
【発明の効果】
【０００７】
本発明の様々な実施形態により、プレイヤにとって便利なグローブ保持用具を提供することができる。
【図面の簡単な説明】
【０００８】
【図１】図１は、本発明の一実施形態に係るグローブ保持用具の構成を示す斜視図である。
【図２】図２は、本発明の一実施形態に係るグローブ保持用具に保持されるグローブの一例を示す図である。
【図３】図３（ａ）は、本発明の一実施形態に係るグローブ保持用具における支持部材１２０の構成の一例を示す上面図であり、図３（ｂ）は、図３（ａ）に示した支持部材１２０の構成を示す側面図である。
【図４】図４は、本発明の別の実施形態に係るグローブ保持用具の構成を示す斜視図である。
【図５】図５は、本発明のさらに別の実施形態に係るグローブ保持用具の構成を示す斜視図である。
【図６】図６（ａ）は、本発明の別の実施形態に係るグローブ保持用具における支持部材の構成の別の例を示す上面図である。図６（ｂ）は、図６（ａ）に示した支持部材をＡ−Ａ’線に沿って示す断面図である。
【発明を実施するための形態】
【０００９】
以下、様々な実施形態を適宜図面を参照して説明する。なお、図面における共通する構成要素には同一の参照符号が付されている。また、各図面は、便宜上、必ずしも同一の縮尺により示されているとは限らない。
【００１０】
以下、様々な実施形態に係るグローブ保持用具がゴルフに用いられるグローブに適用される場合について説明するが、これらの実施形態に係るグローブ保持用具は、釣り、テニス、バドミントン、サイクリング、カーレース、ソフトボール、野球、クリケット及びゲートボール等を含む様々なスポーツに用いられるグローブにも適用可能なものである。
【００１１】
図１は、本発明の一実施形態に係るグローブ保持用具の構成を示す斜視図である。図１に示すように、本実施形態に係るグローブ保持用具１００は、衣類に取り付けられる接続部材１１０と、この接続部材１１０に取り付けられる支持部材１２０と、を含む。
【００１２】
接続部材１１０は、一端１１２ａから他端１１２ｂに向かって例えば直線状に延びるベース部材１１２と、ベース部材１１２に対向して設けられ、ベース部材１１２の延設方向に沿ってベース部材１１２に近づく方向に延びた後に屈曲して上記延設方向に沿ってベース部材１１２から離れる方向に延びる第１係合部材１１４と、略Ｃ字状に形成されベース部材１１２の一端１１２ａと第１係合部材１１４の一端１１４ａとを連続的に結合する第１結合部材１１３と、を含む。
【００１３】
第１結合部材１１３は、第１係合部材１１４をベース部材１１２に向かう方向に付勢している。利用者が、第１係合部材１１４の他端１１４ｂを把持してベース部材１１２から離れる方向に引っ張ることにより、第１係合部材１１４は、第１結合部材１１３により付与されている付勢力に抗してベース部材１１２から離れる方向に移動する。これにより、ベース部材１１２と第１係合部材１１４の屈曲部１１４ｃとの間に空隙が生ずる。この後、利用者が、第１係合部材１１４の他端１１４ｂを離すと、第１係合部材１１４は、第１結合部材１１３により付与されている付勢力によりベース部材１１２に近づく方向に移動して元の位置に復帰する。
別の表現をすると、ベース部材１１２、第１結合部材１１３及び第１係合部材１１４は、環状部を形成している。この環状部は、通常の状態においては、第１結合部材１１３に付与されている付勢力により閉じた状態（この状態では、屈曲部１１４ｃがベース部材１１２に当接していてもよいし、屈曲部１１４ｃとベース部１１２との間にわずかな間隙が生じていてもよい）となっている開放端Ｏ１を含む。この開放端Ｏ１は、利用者が第１係合部材１１４の他端１１４ｂを把持してベース部材１１２から離れる方向に引っ張ることにより、開いた状態となる。このように、ベース部材１１２、第１結合部材１１３及び第１係合部材１１４により形成された環状部は、開放端Ｏ１を開閉自在に変形可能なものとなっている。
【００１４】
さらに、接続部材１１０は、ベース部材１１２に対向して設けられ、ベース部材１１２の延設方向に沿ってベース部材１１２に近づく方向に延びた後に屈曲して上記延設方向に沿ってベース部材１１２から離れる方向に延びる第２係合部材１１６と、略Ｃ字状に形成されベース部材１１２の他端１１２ｂと第２係合部材１１６の一端１１６ａとを連続的に結合する第２結合部材１１５と、を含む。
【００１５】
第２結合部材１１５は、第２係合部材１１６をベース部材１１２に向かう方向に付勢している。利用者が、第２係合部材１１６の他端１１６ｂを把持してベース部材１１２から離れる方向に引っ張ることにより、第２係合部材１１６は、第２結合部材１１５により付与されている付勢力に抗してベース部材１１２から離れる方向に移動する。これにより、ベース部材１１２と第２係合部材１１６の屈曲部１１６ｃとの間に空隙が生ずる。この後、利用者が、第２係合部材１１６の他端１１６ｂを離すと、第２係合部材１１６は、第２結合部材１１５に付与されている付勢力によりベース部材１１２に近づく方向に移動して元の位置に復帰する。
別の表現をすると、ベース部材１１２、第２結合部材１１５及び第２係合部材１１６は、環状部を形成している。この環状部は、通常の状態においては、第２結合部材１１５に付与されている付勢力により閉じた状態（この状態では、屈曲部１１６ｃがベース部材１１２に当接していてもよいし、屈曲部１１６ｃとベース部１１２との間にわずかな間隙が生じていてもよい）となっている開放端Ｏ２を含む。この開放端Ｏ２は、利用者が第２係合部材１１６の他端１１６ｂを把持してベース部材１１２から離れる方向に引っ張ることにより、開いた状態となる。このように、ベース部材１１２、第２結合部材１１５及び第２係合部材１１６により形成された環状部は、開放端Ｏ２を開閉自在に変形可能なものとなっている。
【００１６】
接続部材１１０は、金属及び樹脂等を含む様々な材料により形成可能なものである。例えば、材料として金属を用いる場合には、接続部材１１０は、１本の連続した板状の部材又は棒状の部材を折り曲げて形成することが可能なものである。また、材料として金属又は樹脂を用いる場合には、接続部材１１０は、鋳造又は射出成形により一体成形することが可能なものである。
【００１７】
支持部材１２０は、例えば、金属及び樹脂等を含む様々な材料により構成された矩形状の板状部材により形成されている。また、美観を向上させるために、支持部材１２０の中央には、例えば矩形状の開口１２２が形成されている。
【００１８】
支持部材１２０の表面及び裏面のうちの少なくとも一方の面には、面ファスナー１３０（第２の係合部材）が例えば接着剤を用いて取り付けられている（なお、図１には、面ファスナー１３０が便宜上斜線により表現されていることに留意されたい）。この面ファスナー１３０は、グローブに取り付けられた面ファスナーに係合して、この面ファスナー１３０にグローブを取り付けるためのものである。
【００１９】
図２は、本発明の一実施形態に係るグローブ保持用具に保持されるグローブの一例を示す図である。図２に示すように、グローブＧは、甲部分Ｃにおいて取り付けられたバンド部Ｂを有する。バンド部Ｂの内面Ｂ１、及び、甲部分Ｃのうちこの内面Ｂ１に対向する部分Ｃ１には、面ファスナーが取り付けられている。具体的には、例えば、バンド部Ｂの内面Ｂ１には、雄型の面ファスナーＦ１（第１の係合部材）が取り付けられ、部分Ｃ１には、雌型の面ファスナーＦ２が取り付けられている。雄型の面ファスナーＦ１は、多数のフック状の起毛（図示しない）により形成されたものであり、雌型の面ファスナーＦ２は、多数のループ状の起毛（図示しない）により形成されたものである。利用者は、手にグローブＧをはめた後、バンド部Ｂの内面Ｂ１に取り付けられた雄型の面ファスナーＦ１と部分Ｃ１に取り付けられた雌型の面ファスナーＦ２とを係合させることにより、グローブＧを手にしっかりと固定することができる。
【００２０】
図１に戻り、支持部材１２０に取り付けられた面ファスナー１３０は、例えば、雌型の面ファスナーである。なお、この雌型の面ファスナーも、多数のループ状の起毛（図示しない）により形成されたものである。この面ファスナー１３０と図２に示したグローブＧの雄型の面ファスナーＦ１とを係合させることにより、グローブＧがグローブ保持用具１００により保持される。
なお、面ファスナー１３０は、雄型の面ファスナーであってもよい。この雄型の面ファスナーも多数のフック状の起毛（図示しない）により形成されたものである。この場合、この面ファスナー１３０は、図２に示したグローブＧの雌型の面ファスナーＦ２（第１の係合部材）と係合することができる。
【００２１】
このような支持部材１２０の縁部には、凸部１２４が形成されている。この凸部１２４には、係合孔１２４ａが形成されている。この係合孔１２４ａには、リング状の接続部材１２６が係合している。このリング状の接続部材１２６が接続部材１１０の第２結合部材１１５に係合することにより、支持部材１２０は、接続部材１１０に取り付けられる。なお、リング状の接続部材１２６は、通常は閉じた状態にある開放端Ｏ２を開いた状態にし、このように開いた状態にある開放端Ｏ２を介して、環状部の内部に受け入れられることにより、接続部材１１０に取り付けられる。
【００２２】
なお、支持部材１２０は、必ずしも板状に形成されなければならないものではなく、多面体（直方体や立方体）及び球体等を含む任意の形状に構成されたものでもよい。このような任意の形状を有する支持部材１２０の任意の面（平らな面や湾曲した面等）の一部又は全部が、面ファスナー１３０を取り付けるための面として利用される。
【００２３】
また、支持部材１２０は、任意の大きさを有するものとすることができる。さらに、グローブ保持用具１００は、利用者がスポーツをする際に利用者の衣類に取り付けられるものであることを考慮すると、支持部材１２０はできるだけ小さいものであることが好ましい。支持部材１２０を小さくすると、この支持部材１２０において面ファスナー１３０を取り付けるための面も必然的に小さくなる。よって、この場合には、面ファスナー１３０は、支持部材１２０の上記面の略全体を覆う大きさを有して、面ファスナー１３０とグローブＧの面ファスナーとの結合力をできるだけ高めるようにすることが好ましい。
【００２４】
さらにまた、面ファスナー１３０は、上述したように、雄型の面ファスナー及び雌型の面ファスナーのうちのいずれを用いてもよいが、雄型の面ファスナーは、多数のフック状の起毛により形成されたものであるため、利用者が着用している痛み易い衣服（例えばセーター等）に接触して損傷を与える可能性がある。よって、面ファスナー１３０は、雌型の面ファスナーであることがより好ましい。
【００２５】
以上のような構成を有するグローブ保持用具１００の使用方法について説明する。
まず、利用者は、スポーツ（ここではゴルフ）をする際に、接続部材１１０をスポーツウェア等の衣類に取り付ける。具体的には、利用者は、上述したように、第１係合部材１１４の他端１１４ｂを把持してベース部材１１２から離れる方向に引っ張ることにより、開放端Ｏ１を開いた状態にし、この開放端Ｏ１を介して、環状部の内部に衣類（例えば、スポーツウェアの端部、スポーツウェアのポケットの端部、スポーツウェアのベルトループ、及び、ベルト自体等）を挿入する。この後、利用者が第１係合部材１１４を開放することにより、第１係合部材１１４がベース部材１１２に近づく方向に移動する。これにより、第１係合部材１１４の屈曲部１１４ｃが衣類をベース部材１１２に向かって押圧する。したがって、接続部材１１０が衣類に取り付けられる。
【００２６】
或いはまた、利用者は、第１係合部材１１４の他端１１４ｂとベース部材１１２との間に衣類が位置するように接続部材１１０を配置し、そのまま接続部材１１０を衣類に向かう方向に押圧することにより、衣類が開放端Ｏ１を押し広げて環状部の内部に進行することもできる。
【００２７】
この後、利用者は、例えば、グリーンにおいてパッティングをする際には、手にはめていたグローブＧ（図２参照）を外し、グローブＧに取り付けられた面ファスナーを支持部材１２０に取り付けられた面ファスナー１３０に係合させる。これにより、グローブＧがグローブ保持用具１００に保持される。この後、利用者が、再度グローブＧを手にはめるときには、グローブＧを強く引っ張ってグローブＧの面ファスナーとグローブ保持用具１００の面ファスナー１３０との係合を解除して、グローブＧをグローブ保持用具１００から取り外す。
【００２８】
このように、本実施形態に係るグローブ保持用具１００によれば、接続部材１１０が利用者の着用している衣類に着脱自在に取り付けられ、支持部材１２０に取り付けられた係合部材（例えば面ファスナー）がグローブＧに取り付けられた係合部材（例えば面ファスナー）に係合してグローブＧを着脱自在に保持する。これにより、利用者は、グローブＧを外したときには、グローブＧをグローブ保持用具１００に保持させ、再度グローブＧを必要とするときには、グローブＧをグローブ保持用具１００から外して手に着用することができる。したがって、利用者は、グローブＧをポケットに収納する必要がないため、グローブＧを紛失しにくくなり、利用者の見栄えも損なうこともなく、しかも、利用者のスムーズな動きを阻害されることもない。
【００２９】
なお、本実施形態では、係合部材の一態様として面ファスナーを用いているが、係合部材の別態様としてスナップボタンを用いることも可能である。この場合、支持部材１２０に雄型（雌型）のスナップボタン（第２の係合部材）が取り付けられるときには、この雄型（雌型）のスナップボタンは、グローブＧに取り付けられた雌型（雄型）のスナップボタン（第１の係合部材）に係合する。グローブＧは、支持部材１２０に取り付けられたスナップボタンに係合するために別途スナップボタンが取り付けられていてもよいし、図２に示したベルトＢの内面Ｂ１及び部分Ｃ１にスナップボタンが取り付けられていてもよい。
【００３０】
また、本実施形態に係るグローブ保持用具１００は、支持部材１２０に磁力により取り付けられるマーカー部材１４０をさらに含むことができる。マーカー部材１４０は、任意の形状に形成されることができるものであるが、好ましくは、図１に示すように、円形状の板状部材により形成される。マーカー部材１４０が磁力により支持部材１２０に取り付けられるためには、i)マーカー部材１４０が磁石を含む材料により形成され、支持部材１２０が鉄を含む材料により形成されること、ii)マーカー部材１４０が鉄を含む材料により形成され、支持部材１２０が磁石を含む材料により形成されること、及び、iii)マーカー部材１４０及び支持部材１２０の両方が磁石を含む材料により形成されること、のうちのいずれかが採用される必要がある。
【００３１】
マーカー部材１４０は、支持部材１２０の有する面のうち、面ファスナーが取り付けられた面以外の面に、磁力により取り付けられるようにしてもよい。また、マーカー部材１４０は、支持部材１２０との間に面ファスナーを挟む位置関係により、支持部材１２０の上に磁力により取り付けられるようにしてもよい。
【００３２】
このマーカー部材１４０は、例えば次のように利用される。利用者が、フェアウェイにおいてゴルフをする際には、手にグローブＧを着用する必要があるが、グリーンで専ら用いられるマーカー部材１４０を不要とする。よって、マーカー部材１４０が磁力により支持部材１２０に取り付けられ保持される。この後、利用者が、グリーンでパッティングをする際には、マーカー部材１４０を必要とするので、支持部材１２０からマーカー部材１４０を取り外してグリーン上に置く。さらに、利用者は、パッティングにはグローブＧが邪魔になるので、グローブＧの係合部材（面ファスナー又はスナップボタン）を支持部材１２０の係合部材（面ファスナー又はスナップボタン）に係合させることにより、グローブＧをグローブ保持用具１００に保持させる。
【００３３】
なお、支持部材１２０の上に形成された面ファスナー１３０の上に直接マーカー部材１４０を磁力により取り付ける動作を長期間にわたって繰り返し行うと、面ファスナー１３０を構成するフック状又はループ状の起毛が損傷を受ける可能性がある。よって、支持部材１２０は、図３（ａ）及び図３（ｂ）に示すように、支持部材１２０の表面に形成され、この面から離れる方向に延びる複数の突起部１２８であって、この面の上に形成された面ファスナー１３０を貫通して延びる複数の突起部１２８を有することができる。マーカー部材１４０は、複数の突起部１２８のそれぞれの端面の上に配置される。この状態では、マーカー部材１４０は、このマーカー部材１４０と支持部材１２０との間に介在する面ファスナー１３０に接触することを複数の突起部１２８によって阻害される。これにより、マーカー部材１４０が面ファスナー１３０に損傷を与えることが防止される。
【００３４】
なお、図３（ａ）及び図３（ｂ）には、支持部材１２０の表面のみに複数の突起部１２８が形成されている様子が示されているが、複数の突起部１２８は、支持部材１２０の表面及び裏面のうちの少なくとも一方に形成されるようにしてもよい。
【００３５】
突起部１２８は、金属や樹脂等を含む任意の材料により形成することが可能なものである。突起部１２８を用いると、マーカー部材１４０と支持部材１２０との間の距離が増加するので、突起部１２８は、マーカー部材１４０との磁力に基づいた結合力を高めるという意味において、鉄又は磁石を含む材料により形成されることが好ましい。
なお、図３（ａ）に示した凸部１２４の表現は、便宜上、図３（ｂ）においては省略されている。
【００３６】
図４は、本発明の別の実施形態に係るグローブ保持用具の構成を示す斜視図である。なお、図４に示す構成要素のうち図１に示したものと同一の構成要素については、図１において用いたものと同一の符号を付して、詳細な説明を省略する。
【００３７】
本実施形態に係るグローブ保持用具２００は、別の支持部材２１０を含む。別の支持部材２１０は、図４に示すように、例えば円形状の板状部材により形成されている。別の支持部材２１０の縁部には、凸部２１２が形成されている。この凸部２１２には、係合孔２１２ａが形成されている。この係合孔２１２ａには、リング状の接続部材１２６が係合している。このリング状の接続部材１２６が接続部材１１０の第２結合部材１１５に係合することにより、別の支持部材２１０は、接続部材１１０に取り付けられる。なお、リング状の接続部材１２６は、通常は閉じた状態にある開放端Ｏ２を開いた状態にし、このように開いた状態にある開放端Ｏ２を介して、環状部の内部に受け入れられることにより、接続部材１１０に取り付けられる。
【００３８】
図４に示すように、別の支持部材２１０は、上述した支持部材１２０に隣接するように、接続部材１１０に取り付けられている。別の支持部材２１０には、磁力により、上述したマーカー部材１４０が取り付けられる。
【００３９】
マーカー部材１４０が磁力により別の支持部材２１０に取り付けられるためには、i)マーカー部材１４０が磁石を含む材料により形成され、別の支持部材２１０が鉄を含む材料により形成されること、ii)マーカー部材１４０が鉄を含む材料により形成され、別の支持部材２１０が磁石を含む材料により形成されること、及び、iii)マーカー部材１４０及び別の支持部材２１０の両方が磁石を含む材料により形成されること、のうちのいずれかが採用される必要がある。
【００４０】
図１に示した構成では、支持部材１２０が、グローブＧ及びマーカー部材１４０の両方を保持するものとして用意されていたが、図４に示す構成では、支持部材１２０がグローブＧを保持するものとして用意され、別の支持部材２１０がマーカー部材１４０を保持するものとして用意されている。なお、図４に示す構成においても、支持部材１２０がグローブＧ及びマーカー部材１４０の両方を保持するものとして用意されてもよい。
【００４１】
なお、別の支持部材２１０は、必ずしも板状に形成されなければならないものではなく、多面体（直方体や立方体）及び球体等を含む任意の形状に構成されたものでもよい。このような任意の形状を有する別の支持部材２１０の任意の面（平らな面や湾曲した面等）の一部又は全部が、マーカー部材１４０を取り付けるための面として利用される。
【００４２】
図５は、本発明のさらに別の実施形態に係るグローブ保持用具の構成を示す斜視図である。なお、図５に示す構成要素のうち図１又は図４に示したものと同一の構成要素については、図１又は図４において用いたものと同一の符号を付して、詳細な説明を省略する。
【００４３】
本実施形態に係るグローブ保持用具３００は、別のリング状の接続部材３１０を含む。支持部材１２０及び別の支持部材２１０のそれぞれに取り付けられたリング状の接続部材１２６は、接続部材１１０の第２結合部材１１５に「直接」係合するのではなく、第２結合部材１１５に係合した別のリング状の接続部材３１０に係合する。この別のリング状の接続部材３１０は、リング状の接続部材１２６よりも著しく大きいものとされている。
【００４４】
このような別のリング状の接続部材３１０を用いることにより、図１及び図４に示した構成に比べて、別のリング状の接続部材３１０に対して、より大きなサイズの支持部材１２０及び／又はより大きなサイズの別の支持部材２１０を接続したり、より多くの（図示しない）アクセサリを接続することができる。
【００４５】
図６（ａ）は、本発明の別の実施形態に係るグローブ保持用具における支持部材１２０の構成の別の例を示す上面図である。図６（ｂ）は、図６（ａ）に示した支持部材１２０をＡ−Ａ’線に沿って示す断面図である。なお、図６（ａ）に示した凸部１２４の表現は、便宜上、図６（ｂ）においては省略されている。
図４及び図５に示した例において、支持部材１２０に取り付けられた面ファスナー１３０は、支持部材１２０に隣接して設けられた別の支持部材２１０と頻繁に接触することにより、時間の経過とともに損傷する可能性がある。そこで、図６（ａ）及び図６（ｂ）に示す支持部材１２０は、表面及び裏面のうちの少なくとも一方の面（図中では例えば表面のみ）の上に、この面の外縁に沿って略ロ字状に延びる第１の凸部１６２と、この面に形成された開口１２２を囲むように略ロ字状に延びる第２の凸部１６４と、を有する。第１の凸部１６２と第２の凸部１６４とに囲まれた領域に、上述した略ロ字状に形成された面ファスナー１３０が収容され固定される。
なお、第１の凸部１６２、第２の凸部１６４及び面ファスナー１３０のそれぞれの高さは、第１の凸部１６２の上面、第２の凸部１６４の上面及び面ファスナー１３０の上面が面一となるように設定されてもよい。或いはまた、第１の凸部１６２の上面及び第２の凸部１６４の上面が互いに略同一の高さに位置し、面ファスナー１３０の上面が第１の凸部１６２の上面及び第２の凸部１６４の上面より下方に位置してもよい。
図６（ａ）及び図６（ｂ）に示した支持部材１２０によれば、この支持部材１２０に隣接して設けられた別の支持部材２１０は、支持部材１２０に頻繁に接触する場合であっても、主に第１の凸部１６２の上面及び第２の凸部１６４の上面に接触するのであって、面ファスナー１３０を損傷させる程度にまで面ファスナー１３０に接触することは困難である。このように、面ファスナー１３０は、第１の凸部１６２及び第２の凸部１６４に保護されることによって、別の支持部材２１０との接触に起因する損傷から回避することができる。
【符号の説明】
【００４６】
１００、２００、３００  グローブ保持用具
Ｏ１、Ｏ２  開放端
１１０  接続部材
１１２  ベース部材
１１３  第１結合部
１１４  第１係合部材
１１４ｃ  屈曲部
１１５  第２結合部
１１６  第２係合部
１２０  支持部材
１３０  係合部材（面ファスナー）
１４０  マーカー部材
２１０  別の支持部材
【図１】
2014019977.tif 000003
【図２】
2014019977.tif 000004
【図３】
2014019977.tif 000005
【図４】
2014019977.tif 000006
【図５】
2014019977.tif 000007
【図６】
2014019977.tif 000008